(57)【要約】      （修正有）【課題】スリッパやサンダル甲皮の履き易いが脱げ易い履き口を簡便容易に調節して、履用者の足に密着して脱げないようにしかつ十分な緊締力を保持できるようにする。【解決手段】スリッパ底部中敷の短径両端又はサンダル台中敷の短径両端を、１本乃至数本の紐４が挿通する挿通孔３を、スリッパ底部中敷の短径両側又はサンダル台中敷の短径両側に数か所乃至数十か所設けて装着し、当該挿通孔３それぞれに１本乃至数本の紐４を挿通し当該挿通孔３の一方の端から他端まで挿通した該紐４の両端を結び結合してループ状輪状の紐４とすることにより、あるいは当該挿通孔３の一方の端から他端まで挿通した該紐４を隣接する当該挿通孔３にも挿通させて該紐４の両端を結び結合してループ状輪状の紐４とし、当該挿通孔３及び該紐４が挿通した隣接する挿通孔３との間に生じた空隙にストラップ５を挿通して該ストラップ５の両端を結び結合する。【選択図】図１
2005312855.tif 000002
【特許請求の範囲】
【請求項１】
スリッパ底部中敷の短径両端又はサンダル台中敷の短径両端を１本乃至数本の紐が挿通する挿通孔を、スリッパ底部中敷の短径両側又はサンダル台中敷の短径両側に、数か所乃至数十か所設けて装着し、当該挿通孔それぞれに１本乃至数本の紐を挿通し、当該挿通孔の一方の端から他端まで挿通した該紐の両端を結び結合してループ状輪状の紐とすることにより、あるいは当該挿通孔の一方の端から他端まで挿通した該紐を隣接する当該挿通孔にも挿通させて該紐の両端を結び結合しループ状輪状の紐とすることにより、スリッパ底部中敷の短径両側又はサンダル台中敷の短径両側においては、ループ状輪状の該紐と該紐が挿通した当該挿通孔、あるいはループ状輪状の該紐と該紐が挿通した当該挿通孔及び該紐が挿通した隣接する挿通孔との間のそれぞれに空隙を生じ、かかる空隙にストラップを挿通して該ストラップの両端を結び結合することにより、該ストラップを当該スリッパ底部又は当該サンダル台を吊る甲皮として着脱できることを特徴とするスリッパ底部又はサンダル台
【発明の詳細な説明】
【技術分野】
【０００１】  スリッパ又はサンダルの甲皮を、履用者が必要に応じ素材を選び簡便容易に履き口を調節着脱できる技術である。
【背景技術】
【０００２】  スリッパ又はサンダルの甲皮は履き口を大きくして固着しているため、履きやすいがその反面履き口を簡便容易に調節したり、甲皮を着脱することはできなかった。
【発明の開示】
【発明が解決しようとする課題】
【０００３】  従来、スリッパやサンダルの甲皮は固着して、履きやすいが脱げやすいという両立しえない欠点があった。甲皮となるストラップの着脱も容易ではなかった。スリッパ及びサンダルの利用目的は履き心地の良さと簡易な履きやすさにある。スリッパ及びミュール等の後部の開いたサンダルには簡易な履きやすさと圧迫感の少ない履き心地の良さがあるが、他面履用時にはスリッパ及びサンダル後部において、履用者の足が浮き上がりスリッパ及びサンダルが脱げやすい。そのためスリッパ及びミュール等の後部の開いたサンダルは、活動時の履用特に長距離の歩行時には履用者のアキレス腱や筋肉にスリッパ及びサンダルを足に保持する為の余分な負担がかかり活動時の履用には適さない。したがってスリッパ及び特に後部の開いたサンダルは、長距離時などにはあまり履用されず、その利用範囲は限られていた。【０００４】  スリッパ及びサンダルにおいて、履用者の必要に応じてストラップが着脱できればその利用範囲を広げることができるが、ストラップ着脱の操作自体が簡便でなければ締具としてのストラップを着脱させる意味がない。また締具の着脱を可能としても、締具装着時に履用者に適当な緊縛感を提供できなければストラップを締具として利用する意味がない。【０００５】  スリッパ及び後部の開いたサンダルに、ストラップを締具として固着させ脱げないようにするときには、スリッパ及びサンダル後部の開放感が損なわれるという欠点がある。ストラップの着脱を可能とする場合でも、ストラップの着脱の操作自体が容易でしかもストラップ装着時には、履用者に十分な緊縛感を提供できるものでなければストラップ着脱の意味をなさず、スリッパ及びサンダルの利用範囲を実質的に広げることはできない。本発明は、スリッパ底部又はサンダル台に簡便容易にストラップを着脱できる装置を設け、当該装置により締具としてストラップをに着脱できるようにした他、ストラップ装着時には十分な緊縛感とフィット感を履用者に提供できるようにしたものである。
【課題を解決するための手段】
【０００６】  本発明は、上記課題を解決するため、スリッパ底部中敷の短径両端又はサンダル台中敷の短径両端を挿通する挿通孔を、スリッパ底部又はサンダル台の中敷短径両側に、それぞれ数か所乃至数十か所設けて装着し、当該挿通孔それぞれに一本乃至数本の紐を挿通し、当該挿通孔の一方の端から他端まで挿通した該紐の両端を結び結合して、ループ状輪状の紐とすることによりあるいは当該挿通孔の一方の端から他端まで挿通した該紐を隣接する当該挿通孔にも挿通させて該紐の両端を結び結合しループ状輪状の紐とすることにより、スリッパ底部中敷の短径両側又はサンダル台中敷の短径両側においては、ループ状輪状の該紐と該紐が挿通した隣接する挿通孔との間にそれぞれ空隙を生じ、かかる空隙にストラップを挿通して該ストラップの両端を結び結合することにより、該ストラップを当該スリッパ底部又は当該サンダル台を吊る甲皮して、該ストラップを着脱できるほか甲皮としてのストラップに緊締力を付与できる。
【発明の効果】
【０００７】  本発明により、履用者はスリッパ及びサンダルの甲皮を必要に応じ簡便容易に着脱できる。すなわち履用者が、スリッパ底部又はサンダル台中敷短径両側に数か所乃至数十か所に、スリッパ底部中敷の短径両端又はサンダル台中敷の短径両端を挿通する挿通孔を装着したスリッパ底部サンダル台において、当該挿通孔それぞれに一本乃至数本の紐を挿通して、当該挿通孔の一方の端から他端まで挿通した該紐の両端を結び結合しループ状輪状の紐とすることにより、あるいは当該挿通孔の一方の端から他端まで挿通した該紐を隣接する挿通孔にも挿通させて該紐の両端を結び結合しループ状輪状の紐とすることにより、ループ状輪状の該紐と該紐が挿通した隣接する挿通孔との間にそれぞれ空隙を生じ、かかる空隙にストラップを挿通してストラップの両端を牽引しながら結び結合することにより、両側対側の挿通孔を挿通した該ストラップは、かかる挿通孔を装着したスリッパ底部又はサンダル台を吊り、甲皮として利用できるのみならず、かかるスリッパ底部又はサンダル台それぞれの中敷短径両端を挿通したストラップとの間にはさまれた履用者の足は可及的にこれらに密着しかつ簡便容易に、甲皮となるストラップの履き口を調節して履用者の足にフィットさせることができる。
【発明を実施するための最良の形態】
【０００８】  スリッパ底部中敷の短径両端又はサンダル台中敷の短径両端を一本の紐が挿通する挿通孔を、スリッパ底部中敷の短径又はサンダル台中敷の短径それぞれの爪先部から踏まず部近傍の両側対側６か所に設けて装着し、紐を当該挿通孔の一方の端から他端まで挿通した該紐を隣接する挿通孔にも挿通させ、該紐の両端を結び結合しループ状輪状の紐とし、スリッパ底部中敷の短径両側又はサンダル台中敷の短径両側において、ループ状輪状の該紐と該紐が挿通した挿通孔及び該紐が挿通した隣接する挿通孔との間に生じた空隙のそれぞれに、ストラップを挿通して該ストラップの両端を結び結合して牽引することにより、当該スリッパ底部又は当該サンダル台の甲皮として緊締力を十分に得られ、甲皮となるストラップの着脱を簡便容易に行なうことができる。
【実施例】
【０００９】  本発明を図示実施例に従って説明する。スリッパ底部１又はサンダル台２は、通常のスリッパ底部又はサンダル台と同じ構成であり本底、中敷、表敷、ヒールなどより成る。スリッパ底部又はサンダル台は、布、皮革、木、コルク、合成ゴム、合成樹脂、ウレタンソール、スポンジソール、プラスチックソールなどの材料を用いて適宜接着縫着したりなどして成型し作ることができる。
スリッパ底部１又はサンダル台２それぞれの中敷短径両端を、一本乃至数本の紐が挿通する挿通孔３は、スリッパ底部１又はサンダル台２それぞれの中敷の素材即ち、綿、皮革、合成樹脂等の素材により構成され、挿通孔３はこれら部材の縫着や接着により装着することができる。挿通孔３に挿通する紐４の素材は、通常の紐と同じ素材であり、綿、合成繊維、天然繊維等の素材より構成される。
ストラップ５は、布地、合成皮革、天然皮革、合成繊維、天然繊維、合成樹脂等の材料でつくられる。ストラップ５の形状はスリッパ底部１やサンダル台２に装着した挿通孔３に挿通できる形状であればよく、長方形、紐、螺旋状等の造形を自由に採用することができる。ストラップ５は、スリッパ底部１又はサンダル台２のそれぞれの中敷短径の両端を挿通する挿通孔３に紐４を挿通させ、スリッパ底部１又はサンダル台２の中敷短径両側に装着した挿通孔３の一方の端から他端まで挿通した紐４の両端を結び結合して、ループ状輪状の紐とすることにより、あるいは挿通孔３の一方の端から他端まで挿通した紐４を隣接する挿通孔３にも挿通させ、紐４の両端を結び結合しループ状輪状の紐とすることにより、スリッパ底部１又はサンダル台２の中敷短径両側において、ループ状輪状の紐とスリッパ底部１又はサンダル台２の中敷短径両側のそれぞれとの間に生じた空隙に、ストラップ５の両端を挿通しその両端を結び結合することにより、ストラップ５をスリッパ底部１又はサンダル台２を吊る甲皮としてスリッパ底部１又はサンダル台２に装着する。
【産業上の利用可能性】
【００１０】  通常、スリッパやサンダル等の履物の甲皮はスリッパ底部やサンダル台に固着し、履き口の調整も限られているが、本発明は甲皮となるストラップの着脱を容易にして、スリッパやサンダルの履物としての利便性ならびに装飾効果を履用者本位に向上させ、これら簡易履物の利用価値及び効果を高めてファッション性を演出することができるから、スリッパやサンダルの利用範囲を著しく増大させることができる。
【図面の簡単な説明】
【００１１】
【図１】本発明のストラップの一例を挿通した実施例を示した斜視図である。
【図２】本発明のストラップの一例を挿通した実施例を示した斜視図である。
【符号の説明】
【００１２】１はスリッパ底部、
２はサンダル台、
３は挿通孔、
４は紐、
５はストラップの例示である。
【図１】
2005312855.tif 000003
【図２】
2005312855.tif 000004